(57)【要約】【課題】作動に供されるスイッチの配置自由度を高める。【解決手段】第一回動部材２０は、前後回動軸ＡＦＢを中心とする回動が可能である。第二回動部材３０は、左右回動軸ＡＬＲを中心とする回動が可能である。第一回動部材２０は、前方に変位した操作部材により操作される前壁２１ａと、第一スイッチを操作する第一操作部２２を備えている。前後回動軸ＡＦＢおよび左右回動軸ＡＬＲと直交する向きから見たとき、前壁２１ａは左右回動軸ＡＬＲと重なる位置にある部分を含み、第一操作部２２は左右回動軸ＡＬＲと重ならない位置にある。第二回動部材３０は、右方に変位した操作部材により操作される左腕部３６と、第二スイッチを操作する第二操作部３３を備えている。前後回動軸ＡＦＢおよび左右回動軸ＡＬＲと直交する向きから見たとき、左腕部３６は前後回動軸ＡＦＢと重なる位置にある部分を含み、第二操作部３３は前後回動軸ＡＦＢと重ならない位置にある。【選択図】図８
2019053817.tif 000002
【特許請求の範囲】
【請求項１】
変位可能な操作部材と、
第一回動軸を中心とする回動が可能である第一回動部材と、
前記第一回動軸と交差する第二回動軸を中心とする回動が可能である第二回動部材と、
を備えており、
前記第一回動部材は、
前記第一回動軸および前記第二回動軸と直交する向きから見て前記第二回動軸と重なる位置にある部分を含む第一被操作部と、
前記第一回動軸および前記第二回動軸と直交する向きから見て前記第一回動軸および前記第二回動軸と重ならない位置にある第一操作部と、
を備えており、
前記第二回動部材は、
前記第一回動軸および前記第二回動軸と直交する向きから見て前記第一回動軸と重なる位置にある部分を含む第二被操作部と、
前記第一回動軸および前記第二回動軸と直交する向きから見て前記第一回動軸および前記第二回動軸と重ならない位置にある第二操作部と、
を備えており、
第一方向に変位した操作部材により前記第一被操作部が操作されると、前記第一回動軸を中心に前記第一回動部材が回動して前記第一操作部に第一スイッチを操作させ、
第二方向に変位した操作部材により前記第二被操作部が操作されると、前記第二回動軸を中心に前記第二回動部材が回動して前記第二操作部に第二スイッチを操作させる、
スイッチ装置。
【請求項２】
前記操作部材は、前記第二回動軸を中心とする回動が許容されるように前記第一回動部材と結合されており、
前記第一回動部材の前記第一被操作部は、前記操作部材との結合部を含んでいる、
請求項１に記載のスイッチ装置。
【請求項３】
前記第二回動部材は、
前記第二回動軸が通過する第二回動軸形成部と、
前記第二操作部と前記第二回動軸形成部を接続している第二腕部と、
を備えており、
前記第二被操作部は、前記第二腕部の一部である、
請求項１または２に記載のスイッチ装置。
【請求項４】
前記第一回動部材は、
前記第一回動軸が通過する第一回動軸形成部と、
前記第一操作部と前記第一回動軸形成部を接続している第一腕部と、
を備えており、
前記第一腕部と前記第二腕部は、交差している、
請求項３に記載のスイッチ装置。
【発明の詳細な説明】
【技術分野】
【０００１】
本発明は、スイッチ装置に関する。
【背景技術】
【０００２】
特許文献１は、操作レバーを中立位置から傾ける操作を行なうことによって複数のスイッチのいずれかを作動させるスイッチ装置を開示している。
【先行技術文献】
【特許文献】
【０００３】
【特許文献１】特開平７−１４１９６３号公報
【発明の概要】
【発明が解決しようとする課題】
【０００４】
特許文献１に記載されたスイッチ装置においては、作動に供されるスイッチは、操作レバーが傾けられる方向に配置される必要がある。
【０００５】
本発明の目的は、作動に供されるスイッチの配置自由度を高めることである。
【課題を解決するための手段】
【０００６】
上記の目的を達成するための一態様は、スイッチ装置であって、
変位可能な操作部材と、
第一回動軸を中心とする回動が可能である第一回動部材と、
前記第一回動軸と交差する第二回動軸を中心とする回動が可能である第二回動部材と、
を備えており、
前記第一回動部材は、
前記第一回動軸および前記第二回動軸と直交する向きから見て前記第二回動軸と重なる位置にある部分を含む第一被操作部と、
前記第一回動軸および前記第二回動軸と直交する向きから見て前記第一回動軸および前記第二回動軸と重ならない位置にある第一操作部と、
を備えており、
前記第二回動部材は、
前記第一回動軸および前記第二回動軸と直交する向きから見て前記第一回動軸と重なる位置にある部分を含む第二被操作部と、
前記第一回動軸および前記第二回動軸と直交する向きから見て前記第一回動軸および前記第二回動軸と重ならない位置にある第二操作部と、
を備えており、
第一方向に変位した操作部材により前記第一被操作部が操作されると、前記第一回動軸を中心に前記第一回動部材が回動して前記第一操作部に第一スイッチを操作させ、
第二方向に変位した操作部材により前記第二被操作部が操作されると、前記第二回動軸を中心に前記第二回動部材が回動して前記第二操作部に第二スイッチを操作させる。
【０００７】
このような構成によれば、第一スイッチを操作する第一操作部を、第一回動軸と第二回動軸に直交する向きから見て第二回動軸と重なる位置に設ける必要がない。したがって、作動に供される第一スイッチの配置自由度が高まる。
【０００８】
同様に、第二スイッチを操作する第二操作部を、第一回動軸と第二回動軸に直交する向きから見て第一回動軸と重なる位置に設ける必要がない。したがって、作動に供される第二スイッチの配置自由度が高まる。
【０００９】
上記のスイッチ装置は、以下のように構成されうる。
前記操作部材は、前記第二回動軸を中心とする回動が許容されるように前記第一回動部材と結合されており、
前記第一回動部材の前記第一被操作部は、前記操作部材との結合部を含んでいる。
【００１０】
これに加えてあるいは代えて、上記のスイッチ装置は、以下のように構成されうる。
前記第二回動部材は、
前記第二回動軸が通過する第二回動軸形成部と、
前記第二操作部と前記第二回動軸形成部を接続している第二腕部と、
を備えており、
前記第二被操作部は、前記第二腕部の一部である。
【００１１】
この場合、上記のスイッチ装置は、以下のように構成されうる。
前記第一回動部材は、
前記第一回動軸が通過する第一回動軸形成部と、
前記第一操作部と前記第一回動軸形成部を接続している第一腕部と、
を備えており、
前記第一腕部と前記第二腕部は、交差している。
【００１２】
上記の構成のそれぞれは、スイッチ装置の大型化抑制に寄与しうる。
【発明の効果】
【００１３】
本発明によれば、作動に供されるスイッチの配置自由度を高めることができる。
【図面の簡単な説明】
【００１４】
【図１】一実施形態に係るスイッチ装置の構成を示している。
【図２】上記スイッチ装置の一部の構成を示している。
【図３】上記スイッチ装置の一部の構成を示している。
【図４】上記スイッチ装置の一部の構成を示している。
【図５】上記スイッチ装置の一部の構成を示している。
【図６】上記スイッチ装置の一部の構成を示している。
【図７】上記スイッチ装置の一部の構成を示している。
【図８】上記スイッチ装置の一部の構成を示している。
【図９】上記スイッチ装置の動作例を示している。
【図１０】上記スイッチ装置の動作例を示している。
【図１１】上記スイッチ装置の動作例を示している。
【図１２】上記スイッチ装置の動作例を示している。
【発明を実施するための形態】
【００１５】
添付の図面を参照しつつ、実施形態の例について以下詳細に説明する。添付の図面において、矢印Ｆは、図示された構造の前方向を示している。矢印Ｂは、図示された構造の後方向を示している。矢印Ｕは、図示された構造の上方向を示している。矢印Ｄは、図示された構造の下方向を示している。矢印Ｒは、図示された構造の右方向を示している。矢印Ｌは、図示された構造の左方向を示している。これらの方向は、説明の便宜のために定められたものであり、図示された構造の使用時における姿勢を限定することは意図されていない。
【００１６】
図１の（Ａ）は、一実施形態に係るスイッチ装置１を後方から見た外観を示している。図１の（Ｂ）は、スイッチ装置１を上方から見た外観を示している。
【００１７】
スイッチ装置１は、操作部材１０、第一回動部材２０、第二回動部材３０、支持部材４０、接点形成部材５０、および回路基板６０を備えている。
【００１８】
図２の（Ａ）は、支持部材４０と接点形成部材５０を上右後方から見た外観を示している。図２の（Ｂ）は、支持部材４０と接点形成部材５０を下右後方から見た外観を示している。
【００１９】
接点形成部材５０は、第一変形可能部５１、第二変形可能部５２、第三変形可能部５３、および第四変形可能部５４を有している。接点形成部材５０において、少なくとも第一変形可能部５１、第二変形可能部５２、第三変形可能部５３、および第四変形可能部５４は、弾性変形可能とされている。第一変形可能部５１、第二変形可能部５２、第三変形可能部５３、および第四変形可能部５４は、絶縁性を有している。
【００２０】
図２の（Ｂ）に示されるように、第一変形可能部５１の下面には、第一電極５５が装着されている。第二変形可能部５２の下面には、第二電極５６が装着されている。第三変形可能部５３の下面には、第三電極５７が装着されている。第四変形可能部５４の下面には、第四電極５８が装着されている。第一電極５５、第二電極５６、第三電極５７、および第四電極５８の各々は、導電性を有している。
【００２１】
図２の（Ａ）に示されるように、支持部材４０は、四つの貫通穴を有している。接点形成部材５０が支持部材４０に結合されると、第一変形可能部５１、第二変形可能部５２、第三変形可能部５３、および第四変形可能部５４は、四つの貫通穴を通じて支持部材４０の上側に露出する。
【００２２】
支持部材４０は、第一操作案内壁４１、第二操作案内壁４２、第三操作案内壁４３、および第四操作案内壁４４を有している。第一操作案内壁４１は、第一変形可能部５１の外周の一部を包囲している。第二操作案内壁４２は、第二変形可能部５２の外周の一部を包囲している。第三操作案内壁４３は、第三変形可能部５３の外周の一部を包囲している。第四操作案内壁４４は、第四変形可能部５４の外周の一部を包囲している。
【００２３】
図１の（Ａ）に示されるように、回路基板６０は、接点形成部材５０の下面に結合されている。図示を省略するが、一対の第一固定電極、一対の第二固定電極、一対の第三固定電極、および一対の第四固定電極が、回路基板６０の上面に設けられている。一対の第一固定電極同士は離間しており、電気的に絶縁されている。一対の第二固定電極同士は離間しており、電気的に絶縁されている。一対の第三固定電極同士は離間しており、電気的に絶縁されている。一対の第四固定電極同士は離間しており、電気的に絶縁されている。
【００２４】
第一電極５５は、一対の第一固定電極に間隔をあけて対向している。第二電極５６は、一対の第二固定電極に間隔をあけて対向している。第三電極５７は、一対の第三固定電極に間隔をあけて対向している。第四電極５８は、一対の第四固定電極に間隔をあけて対向している。
【００２５】
図３は、支持部材４０と接点形成部材５０を上方から見た外観を示している。支持部材４０は、一対の第一軸体４５と一対の第二軸体４６を有している。各第一軸体４５は、左右方向に延びている。各第二軸体４６は、前後方向に延びている。
【００２６】
図４は、第一回動部材２０を上左後方から見た外観を示している。第一回動部材２０は、枠体２１、第一操作部２２、左前腕部２３、第三操作部２４、右後腕部２５、一対の第一軸穴２６、および一対の第二軸穴２７を有している。
【００２７】
枠体２１は、前壁２１ａ、後壁２１ｂ、左壁２１ｃ、および右壁２１ｄを有している。一対の第一軸穴２６の一方は、前壁２１ａに形成されている。一対の第一軸穴２６の他方は、後壁２１ｂに形成されている。一対の第一軸穴２６は、前後方向に延びている。一対の第二軸穴２７の一方は、左壁２１ｃに形成されている。一対の第二軸穴２７の他方は、右壁２１ｄに形成されている。一対の第二軸穴２７は、左右方向に延びている。
【００２８】
左前腕部２３は、枠体２１から左前方に延びている。第一操作部２２は、左前腕部２３の先端に設けられている。右後腕部２５は、枠体２１から右後方に延びている。第三操作部２４は、右後腕部２５の先端に設けられている。
【００２９】
図５は、第二回動部材３０を上右後方から見た外観を示している。第二回動部材３０は、一対の支持片３１、一対の軸穴３２、第二操作部３３、第四操作部３４、後腕部３５、左腕部３６、前腕部３７、および右腕部３８を有している。
【００３０】
一対の支持片３１は、前片３１ａと後片３１ｂを含んでいる。一対の軸穴３２の一方は、前片３１ａに形成されている。一対の軸穴３２の他方は、後片３１ｂに形成されている。一対の軸穴３２は、前後方向に延びている。
【００３１】
第二操作部３３は、後片３１ｂの左方に位置している。後腕部３５は、後片３１ｂと第二操作部３３を接続している。左腕部３６は、第二操作部３３と前片３１ａを接続している。
【００３２】
第四操作部３４は、前片３１ａの右方に位置している。前腕部３７は、前片３１ａと第四操作部３４を接続している。右腕部３８は、第四操作部３４と後片３１ｂを接続している。
【００３３】
図６は、操作部材１０を下右前方から見た外観を示している。操作部材１０は、基部１１、第一操作腕１２、第二操作腕１３、第三操作腕１４、および第四操作腕１５を有している。
【００３４】
基部１１の上端には、不図示の別部材であるノブが装着される。ノブは、ユーザにより直接的に操作される部材である。ノブは、基部１１と一体に成形されてもよい。
【００３５】
第一操作腕１２は、基部１１の前部から下方に延びている。第一操作腕１２は、前軸体１２ａを有している。前軸体１２ａは、第一操作腕１２の下部から後方に延びている。第二操作腕１３は、基部１１の左部から下方に延びている。第三操作腕１４は、基部１１の後部から下方に延びている。第三操作腕１４は、後軸体１４ａを有している。後軸体１４ａは、第三操作腕１４の下部から前方に延びている。第四操作腕１５は、基部１１の右部から下方に延びている。
【００３６】
図７は、支持部材４０に第二回動部材３０が装着された状態を示している。支持部材４０における一対の第二軸体４６は、第二回動部材３０における一対の軸穴３２と嵌合している。一対の第二軸体４６と一対の軸穴３２は、前後方向に延びる左右回動軸ＡＬＲを形成している。第二回動部材３０は、左右回動軸ＡＬＲを中心として回動可能に支持部材４０に支持されている。
【００３７】
この状態において、第二回動部材３０の第二操作部３３は、接点形成部材５０の第二変形可能部５２と対向している。第二回動部材３０の第四操作部３４は、接点形成部材５０の第四変形可能部５４と対向している。
【００３８】
図８は、さらに第一回動部材２０が支持部材４０に装着された状態を示している。支持部材４０における一対の第一軸体４５は、第一回動部材２０における一対の第二軸穴２７と嵌合している。一対の第一軸体４５と一対の第二軸穴２７は、左右方向に延びる前後回動軸ＡＦＢを形成している。第一回動部材２０は、前後回動軸ＡＦＢを中心として回動可能に支持部材４０に支持されている。
【００３９】
この状態において、第一回動部材２０の第一操作部２２は、接点形成部材５０の第一変形可能部５１と対向している。第一回動部材２０の第三操作部２４は、接点形成部材５０の第三変形可能部５３と対向している。第一回動部材２０の左前腕部２３は、第二回動部材３０の左腕部３６を跨ぐように延びている。第一回動部材２０の右後腕部２５は、第二回動部材３０の右腕部３８を跨ぐように延びている。
【００４０】
この状態からさらに操作部材１０が装着されることにより、図１の（Ｂ）に示される構成が得られる。具体的には、操作部材１０における第一操作腕１２に設けられた前軸体１２ａが、第一回動部材２０における前壁２１ａに形成された第一軸穴２６に嵌入される。同様に、操作部材１０における第三操作腕１４に設けられた後軸体１４ａが、第一回動部材２０における後壁２１ｂに形成された第一軸穴２６に嵌入される。
【００４１】
他方、操作部材１０における第二操作腕１３の下端は、第二回動部材３０の左腕部３６に対向するように配置される。操作部材１０における第四操作腕１５の下端は、第二回動部材３０の右腕部３８に対向するように配置される。
【００４２】
図９から図１２を参照しつつ、上記のように構成されたスイッチ装置１の動作を説明する。これらの図面においては、動作の理解を容易にするために支持部材４０の図示が省略されている。
【００４３】
操作部材１０の基部１１が前方に押されると、第一操作腕１２の前軸体１２ａを介して枠体２１の前壁２１ａに力が作用する。これにより、図９に示されるように、第一回動部材２０は、前後回動軸ＡＦＢを中心として同図における反時計方向へ回動する。基部１１を前方へ押す力は、第一回動部材２０の回動により、第一操作部２２が接点形成部材５０の第一変形可能部５１を下方に変位させる力に変換される。このとき、第二回動部材３０の姿勢は不変である。
【００４４】
図１の（Ａ）を参照して説明したように、回路基板６０における第一変形可能部５１の下方には、一対の第一固定電極が配置されている。第一変形可能部５１が下方に変位することにより、第一電極５５が一対の第一固定電極に接触する。これにより、第一電極５５を介して一対の第一固定電極同士が導通する。第一変形可能部５１、第一電極５５、および一対の第一固定電極は、第一スイッチを構成している。第一変形可能部５１の変位に伴う第一スイッチの電気的状態の変化は、当該第一スイッチに接続された機器の動作状態を変化させる。
【００４５】
すなわち、前方に変位した操作部材１０により枠体２１の前壁２１ａが操作されると、前後回動軸ＡＦＢを中心に第一回動部材２０が回動し、第一操作部２２に第一スイッチを操作させる。前方は、第一方向の一例である。前壁２１ａは、第一被操作部の一例である。前後回動軸ＡＦＢは、第一回動軸の一例である。
【００４６】
図１０の（Ａ）に示されるように、操作部材１０の基部１１が左方に押されると、第二操作腕１３を介して左腕部３６の受け部３６ａに力が作用する。これにより、図１０の（Ｂ）に示されるように、第二回動部材３０は、左右回動軸ＡＬＲを中心として同図における反時計方向へ回動する。基部１１を左方へ押す力は、第二回動部材３０の回動により、第二操作部３３が接点形成部材５０の第二変形可能部５２を下方に変位させる力に変換される。このとき、第一回動部材２０の姿勢は不変である。
【００４７】
図１の（Ａ）を参照して説明したように、回路基板６０における第二変形可能部５２の下方には、一対の第二固定電極が配置されている。第二変形可能部５２が下方に変位することにより、第二電極５６が一対の第二固定電極に接触する。これにより、第二電極５６を介して一対の第二固定電極同士が導通する。第二変形可能部５２、第二電極５６、および一対の第二固定電極は、第二スイッチを構成している。第二変形可能部５２の変位に伴う第二スイッチの電気的状態の変化は、当該第二スイッチに接続された機器の動作状態を変化させる。
【００４８】
すなわち、右方に変位した操作部材１０により左腕部３６が操作されると、左右回動軸ＡＬＲを中心に第二回動部材３０が回動し、第二操作部３３に第二スイッチを操作させる。左方は、第二方向の一例である。左腕部３６は、第二被操作部の一例である。左右回動軸ＡＬＲは、第二回動軸の一例である。
【００４９】
図８に示されるように、前方に変位する操作部材１０によって操作される第一回動部材２０の前壁２１ａは、交差する前後回動軸ＡＦＢと左右回動軸ＡＬＲに直交する向きから見て左右回動軸ＡＬＲと重なる位置にある部分を含んでいる。他方、第一回動部材２０の第一操作部２２は、前後回動軸ＡＦＢと左右回動軸ＡＬＲに直交する向きから見て左右回動軸ＡＬＲと重ならない位置にある。
【００５０】
図８に示されるように、右方に変位する操作部材１０によって操作される第二回動部材３０の左腕部３６は、交差する前後回動軸ＡＦＢと左右回動軸ＡＬＲに直交する向きから見て前後回動軸ＡＦＢと重なる位置にある部分を含んでいる。他方、第二回動部材３０の第二操作部３３は、前後回動軸ＡＦＢと左右回動軸ＡＬＲに直交する向きから見て前後回動軸ＡＦＢと重ならない位置にある。
【００５１】
このような構成によれば、第一スイッチを操作する第一操作部２２を、前後回動軸ＡＦＢと左右回動軸ＡＬＲに直交する向きから見て左右回動軸ＡＬＲと重なる位置に設ける必要がない。したがって、作動に供される第一スイッチの配置自由度が高まる。
【００５２】
同様に、第二スイッチを操作する第二操作部３３を、前後回動軸ＡＦＢと左右回動軸ＡＬＲに直交する向きから見て前後回動軸ＡＦＢと重なる位置に設ける必要がない。したがって、作動に供される第二スイッチの配置自由度が高まる。
【００５３】
本実施形態においては、操作部材１０は、左右回動軸ＡＬＲを中心とする回動が許容されるように第一回動部材２０と結合されている。第一被操作部の一例である第一回動部材２０の前壁２１ａは、操作部材１０との結合部を含んでいる。
【００５４】
第二回動部材３０においては、左右回動軸ＡＬＲが前片３１ａを通過している。前片３１ａは、第二回動軸形成部の一例である。第二被操作部の一例である左腕部３６は、第二操作部３３と前片３１ａを接続している。
【００５５】
第一回動部材２０においては、前後回動軸ＡＦＢが左壁２１ｃを通過している。左壁２１ｃは、第一回動軸形成部の一例である。左前腕部２３は、第一操作部２２と左壁２１ｃを接続している。第一回動部材２０の左前腕部２３と第二回動部材３０の左腕部３６は、交差している。左前腕部２３は、第一腕部の一例である。左腕部３６は、第二腕部の一例である。
【００５６】
上記に列挙したそれぞれの構成は、スイッチ装置１の大型化抑制に寄与する。
【００５７】
操作部材１０の基部１１が後方に押されると、第三操作腕１４の後軸体１４ａを介して枠体２１の後壁２１ｂに力が作用する。これにより、図１１に示されるように、第一回動部材２０は、前後回動軸ＡＦＢを中心として同図における反時計方向へ回動する。基部１１を後方へ押す力は、第一回動部材２０の回動により、第三操作部２４が接点形成部材５０の第三変形可能部５３を下方に変位させる力に変換される。このとき、第二回動部材３０の姿勢は不変である。
【００５８】
図１の（Ａ）を参照して説明したように、回路基板６０における第三変形可能部５３の下方には、一対の第三固定電極が配置されている。第三変形可能部５３が下方に変位することにより、第三電極５７が一対の第三固定電極に接触する。これにより、第三電極５７を介して一対の第三固定電極同士が導通する。第三変形可能部５３、第三電極５７、および一対の第三固定電極は、第三スイッチを構成している。第三変形可能部５３の変位に伴う第三スイッチの電気的状態の変化は、当該第三スイッチに接続された機器の動作状態を変化させる。
【００５９】
すなわち、後方に変位した操作部材１０により枠体２１の後壁２１ｂが操作されると、前後回動軸ＡＦＢを中心に第一回動部材２０が回動し、第三操作部２４に第三スイッチを操作させる。後方は、第三方向の一例である。後壁２１ｂは、第三被操作部の一例である。前後回動軸ＡＦＢは、第一回動軸の一例である。
【００６０】
図１２の（Ａ）に示されるように、操作部材１０の基部１１が右方に押されると、第四操作腕１５を介して右腕部３８の受け部３８ａに力が作用する。これにより、図１２の（Ｂ）に示されるように、第二回動部材３０は、左右回動軸ＡＬＲを中心として同図における反時計方向へ回動する。基部１１を右方へ押す力は、第二回動部材３０の回動により、第四操作部３４が接点形成部材５０の第四変形可能部５４を下方に変位させる力に変換される。このとき、第一回動部材２０の姿勢は不変である。
【００６１】
図１の（Ａ）を参照して説明したように、回路基板６０における第四変形可能部５４の下方には、一対の第四固定電極が配置されている。第四変形可能部５４が下方に変位することにより、第四電極５８が一対の第四固定電極に接触する。これにより、第四電極５８を介して一対の第四固定電極同士が導通する。第四変形可能部５４、第四電極５８、および一対の第四固定電極は、第四スイッチを構成している。第四変形可能部５４の変位に伴う第四スイッチの電気的状態の変化は、当該第四スイッチに接続された機器の動作状態を変化させる。
【００６２】
すなわち、右方に変位した操作部材１０により右腕部３８が操作されると、左右回動軸ＡＬＲを中心に第二回動部材３０が回動し、第四操作部３４に第四スイッチを操作させる。右方は、第四方向の一例である。右腕部３８は、第四被操作部の一例である。左右回動軸ＡＬＲは、第二回動軸の一例である。
【００６３】
図８に示されるように、後方に変位する操作部材１０によって操作される第一回動部材２０の後壁２１ｂは、交差する前後回動軸ＡＦＢと左右回動軸ＡＬＲに直交する向きから見て左右回動軸ＡＬＲと重なる位置にある部分を含んでいる。他方、第一回動部材２０の第三操作部２４は、前後回動軸ＡＦＢと左右回動軸ＡＬＲに直交する向きから見て左右回動軸ＡＬＲと重ならない位置にある。
【００６４】
図８に示されるように、左方に変位する操作部材１０によって操作される第二回動部材３０の右腕部３８は、交差する前後回動軸ＡＦＢと左右回動軸ＡＬＲに直交する向きから見て前後回動軸ＡＦＢと重なる位置にある部分を含んでいる。他方、第二回動部材３０の第四操作部３４は、前後回動軸ＡＦＢと左右回動軸ＡＬＲに直交する向きから見て前後回動軸ＡＦＢと重ならない位置にある。
【００６５】
このような構成によれば、第三スイッチを操作する第三操作部２４を、前後回動軸ＡＦＢと左右回動軸ＡＬＲに直交する向きから見て左右回動軸ＡＬＲと重なる位置に設ける必要がない。したがって、作動に供される第三スイッチの配置自由度が高まる。
【００６６】
同様に、第四スイッチを操作する第四操作部３４を、前後回動軸ＡＦＢと左右回動軸ＡＬＲに直交する向きから見て前後回動軸ＡＦＢと重なる位置に設ける必要がない。したがって、作動に供される第四スイッチの配置自由度が高まる。
【００６７】
加えて、上記のような構成によれば、前後回動軸ＡＦＢと左右回動軸ＡＬＲに直交する向きから見て前後回動軸ＡＦＢまたは左右回動軸ＡＬＲと重なる位置にある空間を、他の用途に有効活用できる。
【００６８】
一例として、図２の（Ａ）に示されるように、支持部材４０は、導光壁４７を備えている。導光壁４７は、第一光源配置部４７ａ、第二光源配置部４７ｂ、第三光源配置部４７ｃ、および第四光源配置部４７ｄを区画している。
【００６９】
本実施形態においては、操作部材１０は、左右回動軸ＡＬＲを中心とする回動が許容されるように第一回動部材２０と結合されている。第三被操作部の一例である第一回動部材２０の後壁２１ｂは、操作部材１０との結合部を含んでいる。
【００７０】
第二回動部材３０においては、左右回動軸ＡＬＲが後片３１ｂを通過している。後片３１ｂは、第二回動軸形成部の一例である。第四被操作部の一例である右腕部３８は、第四操作部３４と後片３１ｂを接続している。
【００７１】
第一回動部材２０においては、前後回動軸ＡＦＢが右壁２１ｄを通過している。右壁２１ｄは、第一回動軸形成部の一例である。右後腕部２５は、第三操作部２４と右壁２１ｄを接続している。第一回動部材２０の右後腕部２５と第二回動部材３０の右腕部３８は、交差している。右後腕部２５は、第三腕部の一例である。右腕部３８は、第四腕部の一例である。
【００７２】
上記に列挙したそれぞれの構成は、スイッチ装置１の大型化抑制に寄与する。
【００７３】
図８に示されるように、第一光源配置部４７ａは、前後回動軸ＡＦＢと左右回動軸ＡＬＲに直交する向きから見て左右回動軸ＡＬＲと重なる位置にある。第一光源配置部４７ａには、不図示の第一光源が配置される。第一光源は、スイッチ装置１を覆うパネルに設けられた第一標識を照明するための光源である。第一標識は、例えば、操作部材１０の前方への操作を示唆する標識でありうる。
【００７４】
第二光源配置部４７ｂは、前後回動軸ＡＦＢと左右回動軸ＡＬＲに直交する向きから見て前後回動軸ＡＦＢと重なる位置にある。第二光源配置部４７ｂには、不図示の第二光源が配置される。第二光源は、スイッチ装置１を覆うパネルに設けられた第二標識を照明するための光源である。第二標識は、例えば、操作部材１０の左方への操作を示唆する標識でありうる。
【００７５】
第三光源配置部４７ｃは、前後回動軸ＡＦＢと左右回動軸ＡＬＲに直交する向きから見て左右回動軸ＡＬＲと重なる位置にある。第三光源配置部４７ｃには、不図示の第三光源が配置される。第三光源は、スイッチ装置１を覆うパネルに設けられた第三標識を照明するための光源である。第三標識は、例えば、操作部材１０の後方への操作を示唆する標識でありうる。
【００７６】
第四光源配置部４７ｄは、前後回動軸ＡＦＢと左右回動軸ＡＬＲに直交する向きから見て前後回動軸ＡＦＢと重なる位置にある。第四光源配置部４７ｄには、不図示の第四光源が配置される。第四光源は、スイッチ装置１を覆うパネルに設けられた第四標識を照明するための光源である。第四標識は、例えば、操作部材１０の右方への操作を示唆する標識でありうる。
【００７７】
操作部材１０の操作を示唆する標識は、操作部材１０の変位方向に位置していることが好ましい。そのような位置とは、前後回動軸ＡＦＢと左右回動軸ＡＬＲに直交する向きから見て前後回動軸ＡＦＢまたは左右回動軸ＡＬＲと重なる位置である。上記のような構成によれば、そのような位置に配置された標識を、特殊な導光光学系を用いることなく簡易に照明できる。
【００７８】
上記の実施形態は、本発明の理解を容易にするための例示にすぎない。上記の実施形態に係る構成は、本発明の趣旨を逸脱しなければ、適宜に変更・改良されうる。
【００７９】
上記の実施形態においては、スイッチ装置１として四方向スイッチが例示されている。しかしながら、スイッチ装置１は、前後回動軸ＡＦＢを中心とする第一回動部材２０の回動により操作される単一のスイッチと、左右回動軸ＡＬＲを中心とする第二回動部材３０の回動により操作される単一のスイッチとを備えている二方向スイッチとしても構成されうる。そのような二方向の組合せは、前と右、右と後、後と左、左と前の四通りである。
【００８０】
上記の実施形態においては、第一光源配置部４７ａ、第二光源配置部４７ｂ、第三光源配置部４７ｃ、および第四光源配置部４７ｄが設けられている。しかしながら、光源配置部の数は、照明される標識の仕様に応じて任意に定められうる。
【００８１】
上記の実施形態においては、左右回動軸ＡＬＲを中心として第一回動部材２０を回動させるために、操作部材１０に前軸体１２ａと後軸体１４ａが設けられ、第一回動部材２０に一対の第一軸穴２６が形成されている。しかしながら、第一回動部材２０に一対の軸体が設けられ、操作部材１０に一対の軸穴が形成されてもよい。
【００８２】
上記の実施形態においては、前後回動軸ＡＦＢを中心とする第一回動部材２０の回動を可能にするために、支持部材４０に一対の第一軸体４５が設けられ、第一回動部材２０に一対の第二軸穴２７が形成されている。しかしながら、第一回動部材２０に一対の軸体が設けられ、支持部材４０に一対の軸穴が形成されてもよい。
【００８３】
上記の実施形態においては、左右回動軸ＡＬＲを中心とする第二回動部材３０の回動を可能にするために、支持部材４０に一対の第二軸体４６が設けられ、第二回動部材３０に一対の軸穴３２が形成されている。しかしながら、第二回動部材３０に一対の軸体が設けられ、支持部材４０に一対の軸穴が形成されてもよい。
【符号の説明】
【００８４】
１：スイッチ装置、１０：操作部材、２０：第一回動部材、２１ａ：前壁、２１ｂ：後壁、２２：第一操作部、２４：第三操作部、３０：第二回動部材、３３：第二操作部、３４：第四操作部、３６：左腕部、３８：右腕部、４７ａ：第一光源配置部、４７ｂ：第二光源配置部、４７ｃ：第三光源配置部、４７ｄ：第四光源配置部、ＡＦＢ：前後回動軸、ＡＬＲ：左右回動軸
【図１】
2019053817.tif 000003
【図２】
2019053817.tif 000004
【図３】
2019053817.tif 000005
【図４】
2019053817.tif 000006
【図５】
2019053817.tif 000007
【図６】
2019053817.tif 000008
【図７】
2019053817.tif 000009
【図８】
2019053817.tif 000010
【図９】
2019053817.tif 000011
【図１０】
2019053817.tif 000012
【図１１】
2019053817.tif 000013
【図１２】
2019053817.tif 000014